(57)【要約】【課題】  ＦＯＴを光軸のずれなくハウジングに固定することが可能な光コネクタを提供する。【解決手段】  光コネクタは、発光素子及び／又は受光素子を有するパッケージ部３６、及びこのパッケージ部３６からのびるリードフレーム部３４を備えた発光側ＦＯＴ５及び受光側ＦＯＴ６と、発光側ＦＯＴ５及び受光側ＦＯＴ６を収容するＦＯＴ収容部９を有するコネクタハウジング２とを含む。発光側ＦＯＴ５及び受光側ＦＯＴ６は、リードフレーム部３４のパッケージ横部分３４ｂに固定用穴３７を形成したものを用い、ＦＯＴ収容部９には固定用穴３７に差し込まれるＦＯＴ固定突起２４と、パッケージ部３６の上下を押さえるＦＯＴ上部支持突起２５ａ及びＦＯＴ下部支持突起２５ｂとを形成する。【選択図】    図３
2006215276.tif 000002
【特許請求の範囲】
【請求項１】
発光素子及び／又は受光素子を有するパッケージ部、及び該パッケージ部からのびるリードフレーム部を備えたＦＯＴ（Fiber Optic Transceiver ）と、該ＦＯＴを収容するＦＯＴ収容部を有するハウジングと、を含む光コネクタにおいて、
前記ＦＯＴは前記リードフレーム部のパッケージ横部分に固定用穴を形成したものを用い、前記ＦＯＴ収容部には前記固定用穴に差し込まれるＦＯＴ固定突起と前記パッケージ部の上下を押さえるＦＯＴ上部支持突起及びＦＯＴ下部支持突起とを形成する
ことを特徴とする光コネクタ。
【請求項２】
請求項１に記載の光コネクタにおいて、
前記ＦＯＴ固定突起には圧入により潰れる微小圧入突起を形成するとともに、前記ＦＯＴ上部支持突起及び前記ＦＯＴ下部支持突起には前記パッケージ部を案内するためのテーパ又は曲面を形成する
ことを特徴とする光コネクタ。
【請求項３】
請求項１又は請求項２に記載の光コネクタにおいて、
前記ＦＯＴ固定突起と前記ＦＯＴ上部支持突起と前記ＦＯＴ下部支持突起の三箇所を結んで得られる三角形内に、前記ＦＯＴの光軸が位置するよう前記三箇所の位置を設定する
ことを特徴とする光コネクタ。
【発明の詳細な説明】
【技術分野】
【０００１】
本発明は、光通信分野で用いられる光コネクタに関する。
【背景技術】
【０００２】
光コネクタは、プラグタイプの光コネクタと、そのプラグタイプの光コネクタが嵌合するレセプタクルタイプの光コネクタとによりなるものであって、プラグタイプの光コネクタには、光ファイバ端末に設けられたフェルールが収容、保持されている。一方、レセプタクルタイプの光コネクタは、機器に内蔵された回路基板に対して実装されるように構成されている。具体的には、回路基板に固定するための固定部を有する光コネクタハウジングと、発光素子を有する発光側ＦＯＴ（Fiber Optic Transceiver ）と、受光素子を有する受光側ＦＯＴと、発光側ＦＯＴ及び受光側ＦＯＴを一括して覆い、これらに電磁ノイズ対策を施すシールドケースと、を備えて、レセプタクルタイプの光コネクタは構成されている（例えば特許文献１参照）。発光側ＦＯＴ及び受光側ＦＯＴは、回路基板との接続を図るためのリードフレームをそれぞれ複数有している。また、発光側ＦＯＴ及び受光側ＦＯＴは、横に並ぶような状態に配置されている。
【特許文献１】特開２００４−１２６０１５号公報  （第３頁、第１７−２０図）
【発明の開示】
【発明が解決しようとする課題】
【０００３】
ところで、上記従来技術にあっては、発光側ＦＯＴ及び受光側ＦＯＴの固定に関して次のような問題点を有している。すなわち、光コネクタハウジングに収容された発光側ＦＯＴ及び受光側ＦＯＴの固定状態が十分でない場合に、リードフレームののびる方向のガタツキがあると光軸が容易にずれてしまうという問題点を有している。
【０００４】
本発明は、上述した事情に鑑みてなされたもので、ＦＯＴを光軸のずれなくハウジングに固定することが可能な光コネクタを提供することを課題とする。
【課題を解決するための手段】
【０００５】
上記課題を解決するためになされた請求項１記載の本発明の光コネクタは、発光素子及び／又は受光素子を有するパッケージ部、及び該パッケージ部からのびるリードフレーム部を備えたＦＯＴ（Fiber Optic Transceiver ）と、該ＦＯＴを収容するＦＯＴ収容部を有するハウジングと、を含む光コネクタにおいて、前記ＦＯＴは前記リードフレーム部のパッケージ横部分に固定用穴を形成したものを用い、前記ＦＯＴ収容部には前記固定用穴に差し込まれるＦＯＴ固定突起と前記パッケージ部の上下を押さえるＦＯＴ上部支持突起及びＦＯＴ下部支持突起とを形成することを特徴としている。
【０００６】
このような特徴を有する本発明によれば、ＦＯＴ固定突起とＦＯＴ上部支持突起とＦＯＴ下部支持突起の三箇所でＦＯＴが固定される。ＦＯＴは、主にＦＯＴ上部支持突起とＦＯＴ下部支持突起とによって、リードフレーム部におけるリードフレームののびる方向となる上下方向のガタツキが存在しないように固定される。また、ＦＯＴは、主にＦＯＴ固定突起によって、左右方向のガタツキが存在しないように固定される。
【０００７】
請求項２記載の本発明の光コネクタは、請求項１に記載の光コネクタにおいて、前記ＦＯＴ固定突起には圧入により潰れる微小圧入突起を形成するとともに、前記ＦＯＴ上部支持突起及び前記ＦＯＴ下部支持突起には前記パッケージ部を案内するためのテーパ又は曲面を形成することを特徴としている。
【０００８】
このような特徴を有する本発明によれば、ＦＯＴをＦＯＴ収容部に収容する際、ＦＯＴ固定突起が固定用穴にガタツキなく差し込まれる。また、ＦＯＴをＦＯＴ収容部に収容する際、ＦＯＴ上部支持突起及びＦＯＴ下部支持突起の各テーパ又は曲面によってパッケージ部の上下がスムーズに案内される。ＦＯＴ上部支持突起及びＦＯＴ下部支持突起の各テーパ又は曲面によって案内されたパッケージ部は、ＦＯＴ上部支持突起とＦＯＴ下部支持突起との間に差し込まれてこれらＦＯＴ上部支持突起とＦＯＴ下部支持突起とによって固定される。
【０００９】
請求項３記載の本発明の光コネクタは、請求項１又は請求項２に記載の光コネクタにおいて、前記ＦＯＴ固定突起と前記ＦＯＴ上部支持突起と前記ＦＯＴ下部支持突起の三箇所を結んで得られる三角形内に、前記ＦＯＴの光軸が位置するよう前記三箇所の位置を設定することを特徴としている。
【００１０】
このような特徴を有する本発明によれば、ＦＯＴ固定突起とＦＯＴ上部支持突起とＦＯＴ下部支持突起の三箇所を結ぶと三角形が得られる。三角形は面の形状として安定したものであることから、この三角形内に光軸の位置が存在すればＦＯＴの光軸ずれは確実に防止される。
【発明の効果】
【００１１】
請求項１に記載された本発明によれば、ＦＯＴを光軸のずれなくハウジングに固定することができるという効果を奏する。これにより、良好な光学的接続を行うことができるという効果を奏する。
【００１２】
請求項２に記載された本発明によれば、より一層ＦＯＴを光軸のずれなくハウジングに固定することができるという効果を奏する。また、ＦＯＴの収容作業を容易に行うことができるという効果を奏する。
【００１３】
請求項３に記載された本発明によれば、ＦＯＴ固定突起とＦＯＴ上部支持突起とＦＯＴ下部支持突起と光軸のより良い位置関係を提供することができるという効果を奏する。
【発明を実施するための最良の形態】
【００１４】
以下、図面を参照しながら説明する。
図１は本発明の光コネクタの一実施の形態を示す分解斜視図である。また、図２は光コネクタの断面図、図３は発光側ＦＯＴ及び受光側ＦＯＴをＦＯＴ収容部に取り付けた状態の図、図４は光コネクタの斜視図、図５〜図８はコネクタハウジングの平面図、側面図、正面図、背面図、図９〜図１２はシールドケースの正面図、背面図、側面図、底面図である。
【００１５】
図１及び図２において、引用符号１はＯＡ、ＦＡ、車載機器等の光通信に用いられる本発明の光コネクタを示している。本発明の光コネクタ１は、レセプタクルタイプのものであって、コネクタハウジング２と、一対のスリーブ３と、一対の導光部材４と、発光側ＦＯＴ（Fiber Optic Transceiver ）５と、受光側ＦＯＴ６と、シールドケース７とを備えて構成されている。以下、図１ないし図１２を参照しながら上記各構成部材について説明する。
【００１６】
上記コネクタハウジング２は、絶縁性を有する合成樹脂材料により成形される箱状の部材であって、コネクタ嵌合部８とＦＯＴ収容部９とを有している。コネクタ嵌合部８は、プラグタイプの光コネクタ（図示省略）の差し込み及び嵌合を許容することができるように形成されている。コネクタ嵌合部８は、コネクタハウジング２の前面側に配置形成されている。コネクタ嵌合部８には、上記前面が開口してその内部にプラグタイプの光コネクタ（図示省略）が差し込まれる嵌合空間１０が形成されている。コネクタ嵌合部８の開口部分の外側には、溝１１が形成されている。その溝１１は、コネクタハウジング２の一側壁１２側に形成されており、シールドケース７の後述する端部（差込端部４７）が差し込まれるようになっている。
【００１７】
コネクタ嵌合部８とＦＯＴ収容部９との間には、隔壁１３が形成されている。その隔壁１３には、一対の段付き貫通孔１４が形成されている。一対の段付き貫通孔１４は、プラグタイプの光コネクタ（図示省略）に装着される一対のフェルール（図示省略）の配置に合わせて貫通形成されている。段付き貫通孔１４は、コネクタ嵌合部８側が小径、ＦＯＴ収容部９側が大径となるように形成されている。また、段付き貫通孔１４は、小径と大径の部分の間に中径の部分が存在するように形成されている。段付き貫通孔１４の小径の部分には、微少な圧入突起１５が等ピッチで複数形成されている。
【００１８】
隔壁１３が存在する部分の外側には、スリット１６、１７が形成されている。スリット１６、１７には、シールドケース７の後述する差込壁５１、５２が差し込まれるようになっている。隔壁１３は、段付き貫通孔１４やスリット１６、１７の存在によって、コネクタハウジング２の他の部分よりも厚肉に形成されている。コネクタハウジング２の下壁１８には、回路基板（図示省略）に対して実装する際に用いられる位置決め突起１９が二つ形成されている。位置決め突起１９の並ぶ方向は、本形態において、コネクタハウジング２の対角線方向となっている。
【００１９】
ＦＯＴ収容部９は、コネクタハウジング２の後面側に配置形成されている。ＦＯＴ収容部９は、その上壁２０がコネクタ嵌合部８の上壁２１よりも下がった状態に形成されている。ＦＯＴ収容部９には、上記後面が開口してその内部に発光側ＦＯＴ５及び受光側ＦＯＴ６を収容するための一対のＦＯＴ収容室２２、２３が形成されている。ＦＯＴ収容室２２、２３は、発光側ＦＯＴ５及び受光側ＦＯＴ６を横に並んだ状態に配置収容することができるように形成されている。
【００２０】
各ＦＯＴ収容室２２、２３には、段付き貫通孔１４が連成されている。各ＦＯＴ収容室２２、２３と嵌合空間１０は、段付き貫通孔１４を介して連通するように形成されている。このような各ＦＯＴ収容室２２、２３には、ＦＯＴ固定突起２４と二種類のＦＯＴ支持突起２５とが形成されている。また、各ＦＯＴ収容室２２、２３には、リードフレーム導出口２６も複数形成されている。
【００２１】
ＦＯＴ固定突起２４は、隔壁１３側から突出するように形成されている。ＦＯＴ固定突起２４は、発光側ＦＯＴ５又は受光側ＦＯＴ６の後述する複数の固定用穴３７の一番上の位置に合わせて形成されている（一例であるものとする）。ＦＯＴ固定突起２４は、固定用穴３７に圧入されるようになっている。ＦＯＴ固定突起２４には、複数の微少圧入突起２４ａが等ピッチで形成されている（図３の場合、微少圧入突起２４ａは実際には潰れてしまうが、説明のために図示している）。微少圧入突起２４ａは、固定用穴３７への圧入の際に潰れるような微小な突起として形成されている。
【００２２】
ＦＯＴ支持突起２５は、ＦＯＴ上部支持突起２５ａとＦＯＴ下部支持突起２５ｂとで構成されている。ＦＯＴ支持突起２５は、発光側ＦＯＴ５、受光側ＦＯＴ６の後述するパッケージ部３６を挟み込むような状態で固定することができるように配置形成されている。もう少し具体的に説明すると、ＦＯＴ上部支持突起２５ａは、ＦＯＴ収容部９の上壁２０及び後述するＦＯＴ隔壁２８のコーナー部分から突出するように形成されている。ＦＯＴ上部支持突起２５ａには、発光側ＦＯＴ５、受光側ＦＯＴ６の後述するパッケージ部３６を案内するためのテーパ（又は曲面）２５ａ−１が形成されている。ＦＯＴ下部支持突起２５ｂは、ＦＯＴ収容部９の下壁２７から突出するように形成されている。ＦＯＴ下部支持突起２５ｂには、発光側ＦＯＴ５、受光側ＦＯＴ６の後述するパッケージ部３６を案内するための曲面（又はテーパ）２５ｂ−１が形成されている。
【００２３】
各ＦＯＴ収容室２２、２３は、ＦＯＴ固定突起２４と二種類のＦＯＴ支持突起２５とを有することから、発光側ＦＯＴ５、受光側ＦＯＴ６を光軸のずれなく固定することができるようになっている。言い換えれば、発光側ＦＯＴ５、受光側ＦＯＴ６は、ＦＯＴ固定突起２４とＦＯＴ上部支持突起２５ａとＦＯＴ下部支持突起２５ｂの三箇所によって光軸のずれなく固定されるようになっている。発光側ＦＯＴ５、受光側ＦＯＴ６は、主にＦＯＴ上部支持突起２５ａとＦＯＴ下部支持突起２５ｂとによって、上下方向のガタツキが存在しないように固定されている。また、発光側ＦＯＴ５、受光側ＦＯＴ６は、主にＦＯＴ固定突起２４によって、左右方向のガタツキが存在しないように固定されている。
【００２４】
ＦＯＴ固定突起２４とＦＯＴ上部支持突起２５ａとＦＯＴ下部支持突起２５ｂの三箇所は、これらを結ぶと図３中の二点差線で示す三角形Ｓが得られるように配置形成されている。図３中の引用符号Ｘは、発光側ＦＯＴ５、受光側ＦＯＴ６の光軸の位置を示している。上記三角形Ｓは、面の形状として安定したものであることから（例えば四角形と比較した場合、四角形は面に歪みが生じやすい）、本形態のように三角形Ｓ内に光軸の位置Ｘが存在する場合、ＦＯＴ固定突起２４とＦＯＴ上部支持突起２５ａとＦＯＴ下部支持突起２５ｂの三箇所で固定される発光側ＦＯＴ５、受光側ＦＯＴ６の光軸ずれは確実に防止されるようになっている。
【００２５】
リードフレーム導出口２６は、ＦＯＴ収容部９の下壁２７を切り欠くようなスリット形状に形成されている。リードフレーム導出口２６は、発光側ＦＯＴ５、受光側ＦＯＴ６の後述するリードフレーム３４ａの位置に合わせて形成されている。リードフレーム導出口２６には、後述するリードフレーム３４ａが各々差し込まれるようになっている。
【００２６】
ＦＯＴ収容室２２、２３の間には、ＦＯＴ隔壁２８が形成されている。ＦＯＴ隔壁２８は、クロストークを防止するための壁であって、各ＦＯＴ収容室２２、２３に収容された発光側ＦＯＴ５、受光側ＦＯＴ６の間を横切って突出するように形成されている。ＦＯＴ隔壁２８は、隔壁１３側から突出するように形成されている。また、ＦＯＴ隔壁２８は、上壁２１及び下壁２７に連続するように形成されている。さらに、ＦＯＴ隔壁２８は、その先端２９がコネクタハウジング２の上記後面よりも後方に位置するように形成されている。
【００２７】
上記スリーブ３は、金属製の円筒であって、その一端にはストッパとして機能するフランジ３０が形成されている。スリーブ３の本体は、コネクタハウジング２の段付き貫通孔１４における小径の部分に差し込まれる直径となるように形成されている。また、フランジ３０は、段付き貫通孔１４の中径の部分に差し込まれる直径となるように形成されている。スリーブ３は、コネクタハウジング２の各ＦＯＴ収容室２２、２３側から段付き貫通孔１４に差し込まれるようになっている。また、スリーブ３は、フランジ３０が段付き貫通孔１４の小径の部分と中径の部分との段部に当接するまで段付き貫通孔１４に差し込まれるようになっている。段付き貫通孔１４に差し込まれたスリーブ３は、その他端側から中間までがコネクタハウジング２の嵌合空間１０内に突出するようになっている。
【００２８】
上記導光部材４は、光透過性を有する透明な合成樹脂材料により成形される部材であって、主導光部３１と差込保持部３２とを有している。主導光部３１は、その一端に凸レンズ機能を有している。また、主導光部３１は、一端から他端に向けて次第に直径が縮径するような、いわゆる円錐台形状に形成されている。主導光部３１は、上記一端が上記フェルール（図示省略）側となるように設定されている。発光側ＦＯＴ５に対して用いられる導光部材４は、主導光部３１によって、発光側ＦＯＴ５からの光が上記フェルール（図示省略）の端部に集光するようになっている。一方、受光側ＦＯＴ６に対して用いられる導光部材４は、主導光部３１によって、上記フェルール（図示省略）の端部からの光が受光側ＦＯＴ６に集光するようになっている。
【００２９】
差込保持部３２は、主導光部３１を取り巻くような略筒状に形成されている。差込保持部３２と主導光部３１は、上記一端側で連成されている。差込保持部３２は、スリーブ３に差し込まれるように形成されている。差込保持部３２の中間には、ストッパとして機能するフランジ３３が形成されている。フランジ３３は、コネクタハウジング２の段付き貫通孔１４における中径の部分と大径の部分との段部に当接するように形成されている。導光部材４は、コネクタハウジング２の段付き貫通孔１４に取り付けられたスリーブ３に対して、コネクタハウジング２の各ＦＯＴ収容室２２、２３側から差し込まれるようになっている。導光部材４は、フランジ３３が上記段部に当接するまでスリーブ３に差し込まれるようになっている。本形態の導光部材４は、発光側ＦＯＴ５に対して用いられるものと、受光側ＦＯＴ６に対して用いられるものとで若干全長が異なるように形成されている（図２に示されるようにスリーブ３に差し込まれる部分の長さが異なる。一例であるものとする）。
【００３０】
上記発光側ＦＯＴ５は、回路基板（図示省略）の回路に電気的に接続される複数のリードフレーム３４ａを有するリードフレーム部３４と、発光素子（例えばＬＤやＬＥＤ）３５を有するパッケージ部３６とを有している。発光素子３５は、複数のリードフレーム３４ａのうちの一つにマウントされている。また、発光素子３５と残りのリードフレーム３４ａは、電気的に接続されている。一番外側のリードフレーム３４ａには、固定用穴３７が複数形成されている。固定用穴３７は、リードフレーム部３４のパッケージ横部分３４ｂに形成されている。
【００３１】
パッケージ部３６は、カバーで発光素子３５と上記の電気的な接続部分とを覆うとともに、光透過性の合成樹脂材料を上記カバー内に充填することによって、これら発光素子３５と上記の電気的な接続部分とを保護するように形成されている。パッケージ部３６には、発光素子３５を臨む窓３８が形成されている。発光側ＦＯＴ５は、ＦＯＴ収容室２２に収容されると、固定用穴３７にＦＯＴ固定突起２４が圧入されて、また、ＦＯＴ上部支持突起２５ａとＦＯＴ下部支持突起２５ｂとによりパッケージ部３６が挟み込まれ支持されて、ＦＯＴ収容室２２からの脱落が阻止されるようになっている。発光側ＦＯＴ５は、窓３８に導光部材４が差し込まれて、発光素子３５と主導光部３１の他端とが対向するようになっている。
【００３２】
上記受光側ＦＯＴ６は、回路基板（図示省略）の回路に電気的に接続される複数のリードフレーム３４ａを有するリードフレーム部３４と、受光素子（例えばＰＤ）３９を有するパッケージ部３６とを有している。受光素子３９は、複数のリードフレーム３４ａのうちの一つにマウントされている。また、受光素子３９と残りのリードフレーム３４ａは、電気的に接続されている。一番外側のリードフレーム３４ａには、固定用穴３７が複数形成されている。固定用穴３７は、リードフレーム部３４のパッケージ横部分３４ｂに形成されている。
【００３３】
パッケージ部３６は、カバーで受光素子３９と上記の電気的な接続部分とを覆うとともに、光透過性の合成樹脂材料を上記カバー内に充填することによって、これら受光素子３９と上記の電気的な接続部分とを保護するように形成されている。パッケージ部３６には、受光素子３９を臨む窓３８が形成されている。受光側ＦＯＴ６は、ＦＯＴ収容室２３に収容されると、固定用穴３７にＦＯＴ固定突起２４が圧入されて、また、ＦＯＴ上部支持突起２５ａとＦＯＴ下部支持突起２５ｂとによりパッケージ部３６が挟み込まれ支持されて、ＦＯＴ収容室２３からの脱落が阻止されるようになっている。受光側ＦＯＴ６は、窓３８に導光部材４が差し込まれて、受光素子３９と主導光部３１の他端とが対向するようになっている。
【００３４】
上記シールドケース７は、導電性を有する金属薄板をプレス加工することにより形成される部材であって、ハウジングシールド部４０とＦＯＴシールド部４１とを有している。ハウジングシールド部４０とＦＯＴシールド部４１は、一体に形成されている。ハウジングシールド部４０は、コネクタハウジング２のコネクタ嵌合部８を覆って、そのコネクタ嵌合部８に電磁ノイズ対策を施すことができるように形成されている。ハウジングシールド部４０は、上壁４２と両側壁４３と連結壁４４とを有している。上壁４２は、平坦に形成されている。両側壁４３には、弾性係止片４５とグランドピン４６とが形成されている。弾性係止片４５は、シールドケース７を固定するために形成されている。グランドピン４６は、回路基板（図示省略）の固定穴に差し込まれてアースがなされるとともに、本発明の光コネクタ１の固定に寄与することができるようになっている。一方の側壁４３には、コネクタハウジング２の溝１１に差し込まれる差込端部４７が形成されている。差込端部４７は、ハウジングシールド部４０の端部の広がりを防止するために形成されている。連結壁４４は、上壁４２とＦＯＴシールド部４１とを連結するために形成されている。上壁４２とＦＯＴシールド部４１との間には、連結壁４４によって段差が形成されている。
【００３５】
ＦＯＴシールド部４１は、ＦＯＴ収容室２２、２３に収容された発光側ＦＯＴ５、受光側ＦＯＴ６を覆って、これらに電磁ノイズ対策を施すことができるように形成されている。ＦＯＴシールド部４１は、上壁４８と両側壁４９と後壁５０と差込壁５１、５２とを有している。上壁４８は、平坦に形成されている。一方の側壁４９には、ハウジングシールド部４０と同様の弾性係止片４５及びグランドピン４６が形成されている。後壁５０は、発光側ＦＯＴ５及び受光側ＦＯＴ６の背面に対向する壁であって、一対の凸部５３と、一対のＦＯＴ押さえバネ５４とを有している。また、このような後壁５０には、ハウジングシールド部４０と同様のグランドピン４６が形成されている。
【００３６】
一対の凸部５３は、クロストークを防止するための突起であって、後壁５０の中央に形成されている。また、凸部５３は、所定の間隔をあけて上下方向に伸びるように形成されている。さらに、凸部５３は、内側に突出するように形成されている。本形態において、凸部５３は、略蒲鉾状の形状に形成されている（光の散乱を生じさせるため）。このような凸部５３の間には、ＦＯＴ収容室２２、２３の間から突出するＦＯＴ隔壁２８の先端２９が差し込まれるようになっている。尚、ＦＯＴ隔壁２８の先端２９は、凸部５３や後壁５０に接触しないようになっている。一対のＦＯＴ押さえバネ５４は、発光側ＦＯＴ５及び受光側ＦＯＴ６の背面を押圧するために形成されている。発光側ＦＯＴ５及び受光側ＦＯＴ６は、ＦＯＴ押さえバネ５４によって押さえ付けられ、導光部材４との間の間隙が常に最小になるように保たれている。差込壁５１、５２は、側壁４９を内側に折り曲げることにより形成されている。差込壁５１、５２は、連結壁４４の下側に配置されており、コネクタハウジング２のスリット１６、１７に差し込まれるようになっている。差込壁５１、５２がスリット１６、１７に差し込まれることにより、ＦＯＴ押さえバネ５４の押圧力が発揮されるようになっている。
【００３７】
シールドケース７は、スリーブ３と導光部材４と発光側ＦＯＴ５と受光側ＦＯＴ６とを取り付けたコネクタハウジング２に装着されると、複数の弾性係止片４５がコネクタハウジング２に引っ掛かり、コネクタハウジング２に対して係止されるようになっている。また、シールドケース７は、差込壁５１、５２がコネクタハウジング２のスリット１６、１７に差し込まれるとともに、ＦＯＴ押さえバネ５４が発光側ＦＯＴ５及び受光側ＦＯＴ６を押圧するようになっている（ＦＯＴ押さえバネ５４により、一層、発光側ＦＯＴ５及び受光側ＦＯＴ６の固定が確実となる）。さらに、シールドケース７は、一対の凸部５３の間にＦＯＴ隔壁２８の先端２９が差し込まれるようになっている。
【００３８】
上記構成及び構造において、本発明の光コネクタ１は、発光側ＦＯＴ５及び受光側ＦＯＴ６を光軸のずれなくコネクタハウジング２に固定することができるようになっている。従って、従来よりも良好な光学的接続を行うことができるようになっている。
【００３９】
その他、本発明は本発明の主旨を変えない範囲で種々変更実施可能なことは勿論である。
【００４０】
すなわち、本発明は上述の光コネクタ１の構成及び構造に限定されないものとする。光コネクタとしては、上述の形態の他に、所謂ピッグテールタイプの光コネクタや、光コネクタと電気コネクタとを一体化させたハイブリッドコネクタ等が存在し、これらに本発明を適用することができるものとする。
【図面の簡単な説明】
【００４１】
【図１】本発明の光コネクタの一実施の形態を示す分解斜視図である。
【図２】光コネクタの断面図である。
【図３】発光側ＦＯＴ及び受光側ＦＯＴをＦＯＴ収容部に取り付けた状態の図である。
【図４】光コネクタの斜視図である。
【図５】コネクタハウジングの平面図である。
【図６】コネクタハウジングの側面図である。
【図７】コネクタハウジングの正面図である。
【図８】コネクタハウジングの背面図である。
【図９】シールドケースの正面図である。
【図１０】シールドケースの背面図である。
【図１１】シールドケースの側面図である。
【図１２】シールドケースの底面図である。
【符号の説明】
【００４２】
１  光コネクタ
２  コネクタハウジング（ハウジング）
３  スリーブ
４  導光部材
５  発光側ＦＯＴ（ＦＯＴ）
６  受光側ＦＯＴ（ＦＯＴ）
７  シールドケース
８  コネクタ嵌合部
９  ＦＯＴ収容部
１０  嵌合空間
１１  溝
１３  隔壁
１４  段付き貫通孔
１６、１７  スリット
２２、２３  ＦＯＴ収容室
２４  ＦＯＴ固定突起
２４ａ  微小圧入突起
２５  ＦＯＴ支持突起
２５ａ  ＦＯＴ上部支持突起
２５ａ−１  テーパ
２５ｂ  ＦＯＴ下部支持突起
２５ｂ−１  曲面
２６  リードフレーム導出口
２８  ＦＯＴ隔壁
２９  先端
３１  主導光部
３２  差込保持部
３４  リードフレーム部
３４ａ  リードフレーム
３４ｂ  パッケージ横部分
３５  発光素子
３６  パッケージ部
３７  固定用穴
３８  窓
３９  受光素子
４０  ハウジングシールド部
４１  ＦＯＴシールド部
４５  弾性係止片
４６  グランドピン
４７  差込端部（端部）
５０  後壁（壁）
５１、５２  差込壁
５３  凸部
５４  ＦＯＴ押さえバネ
Ｓ  三角形
Ｘ  光軸の位置
【図１】
2006215276.tif 000003
【図２】
2006215276.tif 000004
【図３】
2006215276.tif 000005
【図４】
2006215276.tif 000006
【図５】
2006215276.tif 000007
【図６】
2006215276.tif 000008
【図７】
2006215276.tif 000009
【図８】
2006215276.tif 000010
【図９】
2006215276.tif 000011
【図１０】
2006215276.tif 000012
【図１１】
2006215276.tif 000013
【図１２】
2006215276.tif 000014